(57)【要約】【課題】入力画像に対して様々な画像処理を行う場合、ユーザの利便性を向上させることができる画像処理技術を提供する。【解決手段】画像処理部５は、画像入力受付部４が入力を受け付けた画像に対して入力に起因する補正処理を行う。画像記憶部６は、画像処理部５が補正処理を行った画像を再利用画像として記憶する。また、操作入力受付部３で入力を受け付けた画像の出力に係る指示入力に従って、画像処理部５は、画像記憶部６に記憶された再利用画像を用いて画像処理を行い、出力用画像を生成する。画像記憶部６は、画像処理部５が生成した出力用画像を記憶する。出力部１０は、画像記憶部６に記憶された出力用画像を出力する。【選択図】        図１
2008066791.tif 000002
【特許請求の範囲】
【請求項１】
画像の入力を受け付ける画像入力受付手段と、
画像記憶手段と、
前記画像入力受付手段が入力を受け付けた画像を再利用画像として前記画像記憶手段に記憶させる制御手段と、
前記画像記憶手段に記憶された前記再利用画像を用いて、画像の出力に係る画像処理を行い、出力用画像を生成する画像処理手段とを備える
ことを特徴とする画像処理装置。
【請求項２】
ユーザからの指示入力を受け付ける操作入力受付手段を更に備え、
前記画像処理手段は、前記画像処理を行うことを指示する指示入力を前記操作入力受付手段が受け付けた場合に、前記再利用画像を用いて当該画像処理を行い、出力用画像を生成する
ことを特徴とする請求項１に記載の画像処理装置。
【請求項３】
前記画像処理手段は、前記画像入力受付手段が入力を受け付けた画像に対して、画像の入力に起因する画質のずれを補正する補正処理を行い、
前記制御手段は、前記画像処理手段が前記補正処理を行った画像を前記再利用画像として前記画像記憶手段に記憶させる
ことを特徴とする請求項１に記載の画像処理装置。
【請求項４】
前記制御手段は、前記画像処理手段が生成した前記出力用画像を前記画像記憶手段に記憶させ、
前記画像記憶手段に記憶された出力用画像を出力する出力手段を更に備える
ことを特徴とする請求項２に記載の画像処理装置。
【請求項５】
所定の表示形式で画像を表示することを指示する指示入力を前記操作入力受付手段が受け付けた場合に、前記画像記憶手段に記憶された出力用画像を用いて前記所定の表示形式の表示用画像を生成する表示用画像生成手段と、
前記表示用画像を表示手段に表示させる表示制御手段とを備える
ことを特徴とする請求項４に記載の画像処理装置。
【請求項６】
前記表示制御手段が前記表示手段に表示させた前記表示用画像に対し、所定の画像処理を指示する指示入力を前記操作入力受付手段が受け付けた場合、前記画像処理手段は、前記再利用画像を前記画像記憶手段から読み出しこれを用いて当該所定の画像処理を行い、出力用画像を生成する
ことを特徴とする請求項５に記載の画像処理装置。
【請求項７】
前記画像処理手段は、複数種類の画像処理を行うことが可能であり、
前記操作入力受付手段は、前記複数種類の画像処理のうち少なくとも１つを指示する指示入力を受け付ける
ことを特徴とする請求項２に記載の画像処理装置。
【請求項８】
前記画像記憶手段に記憶された前記再利用画像の有する複数のページの対応関係を示すページ関係情報を含む画像管理情報を管理する画像管理情報管理手段を更に備え、
前記表示制御手段が前記表示手段に表示させた前記表示用画像に対し、前記操作入力受付手段が前記複数のページの対応関係の変更を指示する指示入力を受け付けた場合、前記画像管理情報管理手段は、当該指示入力に従って、前記再利用画像に係る画像管理情報に含まれるページ関係情報を変更する
ことを特徴とする請求項５に記載の画像処理装置。
【請求項９】
前記表示制御手段が前記表示手段に表示させた前記表示用画像に対し、画像の出力を指示する指示入力を前記操作入力受付手段が受け付けた場合、前記出力手段は、前記出力用画像を前記画像記憶手段から読み出しこれを出力する
ことを特徴とする請求項５に記載の画像処理装置。
【請求項１０】
前記画像入力受付手段が入力を受け付けた画像を第1の出力装置及び第２の出力装置に出力することを指示する指示入力を前記操作入力受付手段が受け付けた場合、前記画像処理手段は、前記画像記憶手段に記憶された再利用画像を用いて前記第１の出力装置に出力するための画像処理を行って第１出力用画像を生成し、前記画像記憶手段に記憶された再利用画像を用いて前記第２の出力装置に出力するための画像処理を行って第２出力用画像を生成し、
前記出力手段は、前記画像処理手段が生成した前記第１出力用画像を前記第１の出力装置に出力し、前記画像処理手段が生成した前記第２出力用画像を前記第２の出力装置に出力する
ことを特徴とする請求項４に記載の画像処理装置。
【請求項１１】
前記画像入力受付手段は、スキャナが読み取った画像の入力を受け付ける
ことを特徴とする請求項１に記載の画像処理装置。
【請求項１２】
前記画像入力受付手段は、ネットワークを介して受信した画像の入力を受け付ける
ことを特徴とする請求項１に記載の画像処理装置。
【請求項１３】
前記出力手段は、画像の印刷を行うプロッタに前記出力用画像を出力する
ことを特徴とする請求項２に記載の画像処理装置。
【請求項１４】
前記出力手段は、ネットワークを介して他の情報処理装置に前記出力用画像を送信する
ことを特徴とする請求項４に記載の画像処理装置。
【請求項１５】
画像の入力を受け付ける画像入力受付ステップと、
前記画像入力受付ステップで入力を受け付けた画像を再利用画像として画像記憶手段に記憶させる制御ステップと、
前記画像記憶手段に記憶された前記再利用画像を用いて、画像の出力に係る画像処理を行い、出力用画像を生成する画像処理ステップとを有する
ことを特徴とする画像処理方法。
【請求項１６】
請求項１５に記載された方法をコンピュータで実行させることを特徴とする画像処理プログラム。
【発明の詳細な説明】
【技術分野】
【０００１】
本発明は、入力された画像を出力するための画像処理を行う画像処理装置、画像処理方法及び画像処理プログラムに関するものである。
【背景技術】
【０００２】
従来より、スキャナなどの画像入力装置から入力された画像（入力画像）に対して画像処理を行うことにより入力画像を出力用の画像に変換して、これを出力装置に出力する画像処理装置がある（例えば、特許文献１参照）。このような画像処理装置では、入力画像に対して、画像の入力に起因する画質のずれを補正するための補正処理のみならず、出力装置に出力するための画像処理やユーザの所望の出力条件に応じた画像処理を行い、出力用に変換した画像を出力装置に出力する。
【０００３】
また、例えば、入力画像が複数ページを有する場合や入力画像が複数ある場合、これらの画像をサムネイル形式で表示させる画像処理装置もある（例えば、特許文献２，３参照）。このような画像処理装置においても、入力画像に対して、画像の出力に係る各種画像処理を行って、入力画像を出力用の画像に変換した後に、サムネイル形式で画像を表示させている。即ち、これらの装置では、入力画像に対して画像処理を行うことにより、入力画像を出力用の画像に変換しているため、画像処理後には、入力画像そのものが保存されていない。
【０００４】
【特許文献１】特許第３６７９３４９号公報
【特許文献２】特開２００６−４１９４７号公報
【特許文献３】特開２００６−１０８８９４号公報
【発明の開示】
【発明が解決しようとする課題】
【０００５】
このため、いずれの画像処理装置においても、同一の入力画像に対して、複数の異なる出力装置に出力したり他の出力条件で出力したりすることをユーザが希望する場合、ユーザは画像入力装置に画像を入力する操作を再度行わなければならない。即ち、同一の入力画像に対して異なる画像処理を行う場合、その都度、ユーザは画像を入力する操作を行わなければならず、ユーザの利便性を損ねる恐れがある。
【０００６】
本発明は、上記に鑑みてなされたものであって、入力画像に対して様々な画像処理を行う場合、ユーザの利便性を向上させることができる画像処理装置、画像処理方法及び画像処理プログラムを提供することを目的とする。
【課題を解決するための手段】
【０００７】
上述した課題を解決し、目的を達成するために、請求項１にかかる発明は、画像処理装置であって、画像の入力を受け付ける画像入力受付手段と、画像記憶手段と、前記画像入力受付手段が入力を受け付けた画像を再利用画像として前記画像記憶手段に記憶させる制御手段と、前記画像記憶手段に記憶された前記再利用画像を用いて、画像の出力に係る画像処理を行い、出力用画像を生成する画像処理手段とを備えることを特徴とする。
【０００８】
請求項２にかかる発明は、請求項１にかかる画像処理装置であって、ユーザからの指示入力を受け付ける操作入力受付手段を更に備え、前記画像処理手段は、前記画像処理を行うことを指示する指示入力を前記操作入力受付手段が受け付けた場合に、前記再利用画像を用いて当該画像処理を行い、出力用画像を生成することを特徴とする。
【０００９】
請求項３にかかる発明は、請求項１にかかる画像処理装置であって、前記画像処理手段は、前記画像入力受付手段が入力を受け付けた画像に対して、画像の入力に起因する画質のずれを補正する補正処理を行い、前記制御手段は、前記画像処理手段が前記補正処理を行った画像を前記再利用画像として前記画像記憶手段に記憶させることを特徴とする。
【００１０】
請求項４にかかる発明は、請求項２にかかる画像処理装置であって、前記制御手段は、前記画像処理手段が生成した前記出力用画像を前記画像記憶手段に記憶させ、前記画像記憶手段に記憶された出力用画像を出力する出力手段を更に備えることを特徴とする。
【００１１】
請求項５にかかる発明は、請求項４にかかる画像処理装置であって、所定の表示形式で画像を表示することを指示する指示入力を前記操作入力受付手段が受け付けた場合に、前記画像記憶手段に記憶された出力用画像を用いて前記所定の表示形式の表示用画像を生成する表示用画像生成手段と、前記表示用画像を表示手段に表示させる表示制御手段とを備えることを特徴とする。
【００１２】
請求項６にかかる発明は、請求項５にかかる画像処理装置であって、前記表示制御手段が前記表示手段に表示させた前記表示用画像に対し、所定の画像処理を指示する指示入力を前記操作入力受付手段が受け付けた場合、前記画像処理手段は、前記表示用画像によって特定される前記再利用画像を前記画像記憶手段から読み出しこれを用いて当該所定の画像処理を行い、出力用画像を生成することを特徴とする。
【００１３】
請求項７にかかる発明は、請求項２にかかる画像処理装置であって、前記画像処理手段は、複数種類の画像処理を行うことが可能であり、前記操作入力受付手段は、前記複数種類の画像処理のうち少なくとも１つを指示する指示入力を受け付けることを特徴とする。
【００１４】
請求項８にかかる発明は、請求項５にかかる画像処理装置であって、前記画像記憶手段に記憶された前記再利用画像の有する複数のページの対応関係を示すページ関係情報を含む画像管理情報を管理する画像管理情報管理手段を更に備え、前記表示制御手段が前記表示手段に表示させた前記表示用画像に対し、前記操作入力受付手段が前記複数のページの対応関係の変更を指示する指示入力を受け付けた場合、前記画像管理情報管理手段は、当該指示入力に従って、前記表示用画像によって特定される再利用画像に係る画像管理情報に含まれるページ関係情報を変更することを特徴とする。
【００１５】
請求項９にかかる発明は、請求項５にかかる画像処理装置であって、前記表示制御手段が前記表示手段に表示させた前記表示用画像に対し、画像の出力を指示する指示入力を前記操作入力受付手段が受け付けた場合、前記出力手段は、前記表示用画像によって特定される出力用画像を前記画像記憶手段から読み出しこれを出力することを特徴とする。
【００１６】
請求項１０にかかる発明は、請求項４にかかる画像処理装置であって、前記画像入力受付手段が入力を受け付けた画像を第1の出力装置及び第２の出力装置に出力することを指示する指示入力を前記操作入力受付手段が受け付けた場合、前記画像処理手段は、前記画像記憶手段に記憶された再利用画像を用いて前記第１の出力装置に出力するための画像処理を行って第１出力用画像を生成し、前記画像記憶手段に記憶された再利用画像を用いて前記第２の出力装置に出力するための画像処理を行って第２出力用画像を生成し、前記出力手段は、前記画像処理手段が生成した前記第１出力用画像を前記第１の出力装置に出力し、前記画像処理手段が生成した前記第２出力用画像を前記第２の出力装置に出力することを特徴とする。
【００１７】
請求項１１にかかる発明は、請求項１にかかる画像処理装置であって、前記画像入力受付手段は、スキャナが読み取った画像の入力を受け付けることを特徴とする。
【００１８】
請求項１２にかかる発明は、請求項１にかかる画像処理装置であって、前記画像入力受付手段は、ネットワークを介して受信した画像の入力を受け付けることを特徴とする。
【００１９】
請求項１３にかかる発明は、請求項２にかかる画像処理装置であって、前記出力手段は、画像の印刷を行うプロッタに前記出力用画像を出力することを特徴とする。
【００２０】
請求項１４にかかる発明は、請求項４にかかる画像処理装置であって、前記出力手段は、ネットワークを介して他の情報処理装置に前記出力用画像を送信することを特徴とする。
【００２１】
請求項１５に係る発明は、画像処理方法であって、画像の入力を受け付ける画像入力受付ステップと、前記画像入力受付ステップで入力を受け付けた画像を再利用画像として画像記憶手段に記憶させる制御ステップと、前記画像記憶手段に記憶された前記再利用画像を用いて、画像の出力に係る画像処理を行い、出力用画像を生成する画像処理ステップとを有することを特徴とする。
【００２２】
請求項１６に係る発明は、画像処理プログラムであって、請求項１５に記載された方法をコンピュータで実行させることを特徴とする。
【発明の効果】
【００２３】
本発明によれば、入力を受け付けた画像を再利用画像として画像記憶手段に記憶させ、当該再利用画像を用いて、画像の出力に係る画像処理を行い、出力用画像を生成することにより、再利用画像を保持しつつ、出力用画像を生成することができる。従って、入力を一度受け付けた画像を用いて、異なる様々な画像処理を行うことが可能である。
【００２４】
また、画像の入力に起因する画質のずれを補正する補正処理を行った画像を再利用画像として記憶させることにより、画像の出力に係る画像処理を効率的に行うことが可能である。
【００２５】
また、所定の表示形式の表示用画像表示手段に表示させた後でも、画像記憶手段に記憶された再利用画像を用いて他の新たな画像処理を行うことが可能である。このため、入力を一度受け付けた画像に対して、異なる様々な画像処理を行うことをユーザが希望する場合、画像を入力する操作をユーザが再度行う必要をなくすことが可能である。
【発明を実施するための最良の形態】
【００２６】
以下に添付図面を参照して、この発明にかかる画像処理装置、画像処理方法及び画像処理プログラムの最良な実施の形態を詳細に説明する。
【００２７】
[第１の実施の形態]
（１）構成
＜システムの構成＞
次に、本実施の形態にかかる画像処理装置を用いたシステムの概略的な構成について説明する。図１は本実施の形態にかかる画像処理装置を用いたシステムの概略的な構成及び画像処理装置の構成を示すブロック図である。
【００２８】
スキャナ２１は、画像入力装置であり、セットされた原稿を読み取り、読み取った原稿の画像を画像処理装置１に供給する。画像処理装置１は、スキャナ２１から供給された画像の入力を受け付け、当該画像に対して後述する補正処理を行った画像（再利用画像）を記憶する。また、画像処理装置１は、再利用画像を用いて画像処理を行って生成した画像（出力用画像）をネットワーク２０を介して出力する。プロッタ２４、ＦＡＸ２５及びＰＣ２６は、ネットワーク２０に接続された画像の出力装置であり、ネットワーク２０を介して画像処理装置１から出力された画像を各々出力する。
【００２９】
＜画像処理装置の構成＞
次に、本実施の形態にかかる画像処理装置１の機能的構成について説明する。画像処理装置１は、図１に示すように、システム制御部２と、操作入力受付部３と、画像入力受付部４と、画像処理部５と、画像記憶部６と、画像管理情報管理部７と、サムネイル画像生成部８と、表示制御部９、出力部１０とを含んで構成される。
【００３０】
システム制御部２は、画像処理装置１の有する各部を制御する。操作入力受付部３は、テンキー、スタートキー、ファンクションキー、ワンタッチキー等の各種操作キーなどを有する操作装置２２と接続され、操作装置２２を介して入力されたユーザからの指示入力を受け付ける。
【００３１】
画像入力受付部４は、スキャナ２１と接続され、スキャナ２１が読み取った画像の入力を受け付ける。尚、画像入力受付部４は、この他、ＦＡＸ２５を介した文書画像の入力や、ネットワーク２０を介して受信した画像の入力を受け付けるようにしても良い。
【００３２】
画像処理部５は、システム制御部２の制御の下、画像入力受付部４が入力を受け付けた画像（以下、入力画像という）に対し、当該入力画像を入力した画像入力装置（ここでは、スキャナ２１である）に起因する補正処理を行い、補正処理を行った画像を再利用画像として画像記憶部６に記憶させる。ここで行う補正処理とは、例えば、シェーディング補正やライン間補正などの処理であり、画像の入力に起因する画質のずれを補正するための処理である。また、ユーザからの出力指示が操作入力受付部３に入力されると、画像処理部５は、画像記憶部６に記憶されている再利用画像を読み出してこれに対して画像処理し、画像処理した画像を出力用画像として画像記憶部６に記憶させる。ここで行う画像処理とは、例えば、濃度変換や変倍や色変換などのユーザの要求に応じた画像処理や、画像のフォーマット変換や画像の回転などの出力装置に依存する画像処理である。
【００３３】
画像記憶部６は、画像処理部５が補正処理を行った画像を再利用画像として記憶したり、画像処理部５が画像処理を行って生成した画像を、再利用画像とは異なる出力用画像として記憶したりする。
【００３４】
画像管理情報管理部７は、画像記憶部６に記憶される画像の画像管理情報を管理する。画像管理情報とは、例えば文書やファイルとしての画像の各種情報や、画像の順番などの情報である。また、画像が複数のページを有する場合、画像管理情報は、各ページと当該ページに対するページ画像との対応関係を示すページ関係情報を含む。また、画像管理情報は、上述した再利用画像と、当該再利用画像を用いて生成された出力用画像と、当該出力用画像を用いて生成されたサムネイル画像（以下で説明する）との対応関係を表す情報を含む。対応関係を表す情報とは、例えば、各画像に対して識別ＩＤを付与してこれを対応付けたり、各画像のメモリアドレスなどを対応付けたりしたもの等である。
【００３５】
サムネイル画像生成部８は、システム制御部２の制御の下、画像記憶部６に記憶されている出力用画像を読み出し、当該出力用画像を用いてサムネイル形式で画像を表示するためのサムネイル画像を生成し、これを表示制御部９に供給する。
【００３６】
表示制御部９は、液晶モニタやＣＲＴ（Cathode Ray Tube）モニタなどの表示装置２３に接続され、システム制御部２の制御の下、サムネイル画像生成部８が生成したサムネイル画像を表示装置２３に表示させる。尚、表示装置２３を操作装置２２と一体的に形成し、タッチパネルなどの操作入力一体型表示装置として構成するようにしても良い。
【００３７】
出力部１０は、システム制御部２の制御の下、画像記憶部６に記憶された出力用画像を、プロッタ２４、ＦＡＸ２５、ＰＣ２６等の出力装置にネットワーク２０を介して出力する。尚、ネットワークとは、例えば、ＬＡＮ（Local Area Network）やインターネットなどの様々なネットワークであっても良く、出力部１０は、各種のネットワークにおいて通信を行う通信機能を備えるものであっても良い。
【００３８】
次に、画像処理装置１のハードウェア構成について説明する。画像処理装置１は、ＣＰＵ（Central Processing Unit），ＲＡＭ（Random Access Memory），ＲＯＭ（Read Only Memory）(図示せず),ＨＤＤ（Hard Disk Drive）等を備えている。ＲＯＭには、画像処理プログラム等の各種プログラムが記憶されている。本実施の形態に係る画像処理プログラムは、上述した操作入力受付部３、画像入力受付部４、画像処理部５、画像管理情報管理部７、サムネイル画像生成部８、表示制御部９、出力部１０を含むモジュール構成となっており、これら各部の実際のハードウェアとしてはＣＰＵがＲＯＭなどの記憶装置から画像処理プログラムを読み出して実行することによりこれらの各部がＲＡＭ等の主記憶装置上にロードされ、これら各部が主記憶装置上に生成されるようになっている。また、画像記憶部６は、ＨＤＤなどの記憶媒体により実現される。
【００３９】
（２）動作
＜動作例１＞
次に、画像を入力してサムネイル画像を表示させる処理の手順について説明する。図２は、画像を入力してサムネイル画像を表示させる処理を行う際に画像処理装置１の各部が行う処理の手順を示す図である。
【００４０】
まず、ユーザがスキャナ２１に原稿をセットして、操作装置２２において、画像の入力を指示する操作入力と、カラーモード、両面/片面印刷、集約、濃度等の画像の出力条件を設定して、サムネイル画像の表示を指示する操作入力とを行うと、操作入力受付部３は、操作装置２２からの操作入力を受け付け、当該操作入力に従って、システム制御部２に画像入力と、サムネイル画像の表示とを要求する（ステップＳ１）。システム制御部２は、操作入力受付部３からの画像入力要求に従って、画像入力受付部４に画像の入力の受け付けを要求する（ステップＳ２）。画像入力受付部４は、スキャナ２１が読み取った画像の入力を受け付け（ステップＳ３）、当該入力画像を画像処理部５に供給する（ステップＳ４）と共に、当該入力画像の画像管理情報を生成してこれを画像管理情報管理部７に供給し（ステップＳ５）、画像入力終了をシステム制御部２に通知する（ステップＳ６）。画像処理部５は、画像入力受付部４から供給された画像を受け付ける（ステップＳ４）。画像管理情報管理部７は、画像入力受付部４から供給された画像管理情報を受け付ける（ステップＳ５）。システム制御部２は、画像入力終了が通知されると、画像処理部５に補正処理を要求する（ステップＳ７）。画像処理部５は、システム制御部２からの補正処理要求に従い、画像入力受付部４から供給された入力画像の画像に対して補正処理を行い、補正処理後の画像を再利用画像として画像記憶部６に供給し（ステップＳ８）、補正処理終了をシステム制御部２に通知する（ステップＳ９）。画像記憶部６は、画像処理部５から供給された再利用画像を記憶する（ステップＳ１０）。システム制御部２は、補正処理終了が通知されると、操作入力受付部３からのサムネイル画像の表示要求に従って、画像処理部５に画像処理を要求する（ステップＳ１１）。画像処理部５は、システム制御部２からの画像処理要求に従い、画像管理情報管理部７からはステップＳ１３により画像管理情報を取得し、当該画像管理情報に基づいて、画像記憶部６からステップＳ１４により処理対象の再利用画像を取得して、これに対して画像処理を行なう（ステップＳ１２）。画像処理部５は、画像処理を行って生成した画像を出力用画像として画像記憶部６に供給し（ステップＳ１５）、システム制御部２に画像処理終了を通知する（ステップＳ１６）。画像記憶部６は、画像処理部５から供給された出力用画像を記憶する（ステップＳ１７）。システム制御部２は、画像処理終了が通知されると、サムネイル画像生成部８にサムネイル画像の生成を要求する（ステップＳ１８）。サムネイル画像生成部８は、画像管理情報管理部７からステップＳ２０により画像管理情報を取得し、当該画像管理情報に基づいて、画像記憶部６からステップＳ２１により処理対象の出力用画像を取得して、当該出力用画像を用いて各種画像処理を行ってサムネイル画像を新たに生成する（ステップＳ１９）。サムネイル画像生成部８は、生成したサムネイル画像を表示制御部９に供給し、システム制御部２にサムネイル画像の生成終了を通知する（ステップＳ２２）。システム制御部２は、サムネイル画像の生成終了が通知されると、表示制御部９にサムネイル画像の表示を要求する��ステップＳ２３）。表示制御部９は、サムネイル画像生成部８から供給されたサムネイル画像を表示装置２３に表示させ、システム制御部２にサムネイル画像の表示終了を通知する（ステップＳ２４）。
【００４１】
図３，４は表示装置２３に表示される画面例を示す図である。ここでは、操作装置２２と表示装置２３とが一体的に形成されたタッチパネルにおける画面例を示している。このようなタッチパネルの表示画面上で、ユーザはサムネイル画像を視認しながら、例えば、図３に示される画像Ｇ１を選択指示する操作を操作装置２２にて行うと、次に、図４に示される画面が表示装置２３に表示される。同図に示される表示画面においては、選択指示された画像Ｇ１の他、画像の濃度を調節するための設定ボタンＢＴ１、全ページの印刷を指示するための印刷ボタンＢＴ２、選択したページの印刷を指示するための印刷ボタンＢＴ３、画像Ｇ１の保存を指示するための保存ボタンＢＴ４、ネットワークを介した画像の送信を指示するための送信ボタンＢＴ５などの各種指示ボタンが表示される。このように表示された各種指示ボタンをユーザは押下操作することにより、各種指示を行うことができる。
【００４２】
このような構成によれば、再利用画像を画像記憶部６に記憶させるため、例えば、画像の出力に異常が生じたとしても、再利用画像を用いて画像処理を再度行うことができる。このため、画像の出力異常が生じても、当該画像を入力する操作をユーザが再度行う必要をなくすことが可能である。
【００４３】
＜動作例２＞
次に、複数のページを有する画像がサムネイル形式で表示されている場合、ページの順番(ページ順)を入れ替える処理の手順について説明する。図５は、サムネイル形式で表示されているページ順を入れ替える際に画像処理装置１の各部が行う処理の手順を示す図である。
【００４４】
表示装置２３にサムネイル画像が表示されているとき、ユーザが操作入力受付部３を介して、サムネイル形式で表示されている画像のページ順の入れ替えを指示すると、操作入力受付部３は、操作装置２２からの操作入力を受け付け、当該操作入力に従って、システム制御部２に当該画像のページ順の入れ替えを要求する（ステップＳ３０）。次いで、システム制御部２は、画像管理情報管理部７に当該画像のページ順の入れ替えを要求する（ステップＳ３１）。画像管理情報管理部７は、ページ順の入れ替えを要求された画像の画像管理情報において、ページ順の入れ替えを行い、画像管理情報を変更する（ステップＳ３２）。
【００４５】
図６,７は、画像管理情報におけるページ順の入れ替えを説明するための概念図である。画像管理情報管理部７は、図６に示されるようなページとページ画像とのリンクを、図７に示されるようなリンクに変更する。
【００４６】
次いで、画像管理情報管理部７は、システム制御部にページ順の入れ替え終了を通知する（ステップＳ３３）。システム制御部２は、サムネイル画像生成部８にサムネイル画像の生成を要求する（ステップＳ３４）。以降、ステップＳ１９〜Ｓ２４では上述の動作例１と同様にして、サムネイル画像生成部８がサムネイル画像を生成し、表示制御部９がサムネイル画像を表示装置２３に表示させる。上述のようにページとページ画像とのリンクが変更された画像管理情報に基づいてサムネイル画像が生成された結果、表示装置２３には、ページ順の入れ替わったサムネイル画像が表示される。
【００４７】
このような構成によれば、例えば、ページ順が揃っていない複数の原稿をスキャナで読み取った場合、当該原稿に対応する再利用画像が記憶されているため、ユーザは表示装置２３に表示されたサムネイル画像を見てページ順を揃える操作を行うことによって、所望のページ順に画像を出力させることができる。従って、ユーザはページ順に揃えた原稿をスキャナ２１で再度読み取らせる必要がない。このため、ユーザの利便性を向上させることができる。
【００４８】
＜動作例３＞
次に、サムネイル形式で表示されている画像の濃度を変更する処理の手順について説明する。図８は、サムネイル形式で表示されている画像の濃度を変更する際に画像処理装置１の各部が行う処理の手順を示す図である。
【００４９】
表示装置２３にサムネイル画像が表示されているとき、ユーザが操作入力受付部３を介して、サムネイル形式で表示されている画像の濃度変更を指示すると、操作入力受付部３は、操作装置２２からの操作入力を受け付け、当該操作入力に従って、システム制御部２に当該画像の濃度変更を要求する（ステップＳ５０）。システム制御部２は、画像処理部５に当該画像の濃度変更を要求する（ステップＳ５１）。画像処理部５は、ステップＳ５２では、画像管理情報管理部７からステップＳ５３により画像管理情報を取得し、画像管理情報に基づいて、画像記憶部６からステップＳ５４により処理対象の再利用画像を取得し、当該再利用画像を用いて濃度変更の画像処理を行ない、出力用画像を生成する。そして、画像処理部５は、生成した出力用画像を画像記憶部６に供給し、システム制御部２に画像処理終了を通知する（ステップＳ５６）。画像記憶部６は、画像処理部５から供給された出力用画像を記憶する（ステップＳ５５）。システム制御部２は、画像処理終了が通知されると、サムネイル画像生成部８にサムネイル画像の生成を要求する（ステップＳ５７）。以降、ステップＳ１９〜Ｓ２４の処理が上述の動作例１と同様にして行われる。この結果、表示装置２３にサムネイル画像が表示される。
【００５０】
このような構成によれば、出力用画像を用いて生成されたサムネイル画像が表示された後で、ユーザが、画像の濃度を変更するなどの新たな画像処理を要求する場合、再利用画像を用いて当該新たな画像処理を行うため、ユーザは、画像を再度入力させる操作を行う必要がない。即ち、ユーザは画像を入力する操作を一度行うだけで、当該画像に対して処理条件の異なる様々な画像処理を何度でも要求することができる。従って、ユーザの利便性を向上させることができる。
【００５１】
尚、ユーザの要求する画像処理は、上述では、画像の濃度を変更する画像処理としたが、この他、例えば、画像の変倍や色変換など任意の画像処理を１つまたは組合せたものであっても良い。
【００５２】
＜動作例４＞
次に、サムネイル形式で表示されている画像を出力する処理の手順について説明する。図９は、サムネイル形式で表示されている画像を出力する処理の手順を示す図である。
【００５３】
表示装置２３にサムネイル画像が表示されているとき、ユーザが操作装置２２を介して、出力先の出力装置（ここでは、プロッタ２４とする）を指定して、サムネイル形式で表示されている画像の出力を指示すると、操作入力受付部３は、操作装置２２からの操作入力を受け付け、当該操作入力に従って、システム制御部２に当該画像の出力を要求する（ステップＳ７０）。システム制御部２は、当該画像の出力を出力部１０に要求する（ステップＳ７１）。出力部１０は、画像管理情報管理部７からステップＳ７３により出力対象の画像の画像管理情報を取得し、当該画像管理情報に基づいて、画像記憶部６からステップＳ７４により出力対象の出力用画像を取得し、これをネットワーク２０を介してプロッタ２４に出力する（ステップＳ７２）。出力部１０は、出力が終了すると、システム制御部２に出力終了を通知する（ステップＳ７５）。そして、出力部１０から出力された画像はネットワーク２０を介してプロッタ２４に送信され、プロッタ２４から当該画像が出力される。
【００５４】
＜動作例５＞
次に、入力された画像をサムネイル形式で表示することなく出力する処理の手順について説明する。図１０は、入力された画像をサムネイル形式で表示することなく出力する処理の手順を示す図である。
【００５５】
ユーザがスキャナ２１に原稿をセットして、各種印刷条件を設定すると共に画像の出力指示を設定し、操作装置２２のスタートキーを押下すると、操作入力受付部３は、操作装置２２からの操作入力を受け付け、当該操作入力に従って、システム制御部２に画像入力を要求する（ステップＳ９０）。システム制御部２は、操作入力受付部３からの画像入力要求に従って、画像入力受付部４に画像の入力の受け付けを要求する（ステップＳ９１）。以降、ステップＳ３〜Ｓ１６の処理が上述の動作例１と同様にして行われる。そして、ステップＳ１６で画像処理終了が通知されると、システム制御部２は、当該画像の出力を出力部１０に要求する（ステップＳ９２）。出力部１０は、ステップＳ９３では、画像管理情報管理部７からステップＳ９４により当該画像の画像管理情報を取得し、当該画像管理情報に基づいて、画像記憶部６からステップＳ９５により出力用画像を逐次取得してこれをネットワーク２０を介してプロッタ２４に出力する。出力が終了したら、出力部１０は、システム制御部２に出力終了を通知する（ステップＳ９６）。そして、出力部１０から出力された画像はプロッタ２４に供給され、プロッタ２４から当該画像が出力される。
【００５６】
＜動作例６＞
次に、入力された画像を複数の出力装置に出力するとき処理の手順について説明する。図１１は、入力された画像を複数の出力装置に出力するとき処理の手順を示す図である。ここでは、画像をサムネイル形式で表示することなく出力する場合について説明する。
【００５７】
ユーザがスキャナ２１に原稿をセットして、各種印刷条件を設定すると共に画像の出力指示を設定し、その出力先の出力装置（ここでは、プロッタ２４及びＰＣ２６とする）を設定し、操作装置２２のスタートキーを押下すると、操作入力受付部３は、操作装置２２からの操作入力を受け付け、当該操作入力に従って、システム制御部２に画像入力を要求する（ステップＳ１１０）。システム制御部２は、操作入力受付部３からの画像入力要求に従って、画像入力受付部４に画像の入力の受け付けを要求する（ステップＳ１１１）。以降、ステップＳ３〜Ｓ９の処理が上述の動作例１と同様にして行われる。次いで、ステップＳ１１２では、システム制御部２は、プロッタ２４とＰＣ２６とに出力するための画像処理を画像処理部５に要求する。画像処理部５は、まずプロッタ２４に出力するための処理を行なう（ステップＳ１１３，Ｓ１１６）。具体的には、画像処理部５は、上述の動作例１と同様に、画像管理情報管理部７からステップＳ１１４により当該画像の画像管理情報を取得し、画像管理情報に基づいて、画像記憶部６からステップＳ１１５により再利用画像を取得して、画像処理を行う。そして、画像処理部５は、画像処理を行って生成した画像を第１出力用画像として画像記憶部に供給し、プロッタ２４に出力するための画像処理終了をシステム制御部に通知する（ステップＳ１１８）。画像記憶部６は、画像処理部５から供給された第１出力用画像を記憶する（ステップＳ１１７）。システム制御部２は、画像処理終了が通知されると、出力部１０に画像の出力を要求する（ステップＳ９２）。以降、ステップＳ９３〜Ｓ９４の処理が上述の動作例５と同様にして行われる。ステップＳ９５´では、出力部１０は、ステップＳ１１７で画像記憶部６に記憶された第１出力用画像を取得し、これを用いて出力処理を行う。この結果、プロッタ２４に画像が出力される。
【００５８】
次いで、画像処理部５は、プロッタ２４に出力するための画像処理終了をシステム制御部２に通知した後（ステップＳ９６）、ステップＳ１２０，Ｓ１２３で、ＰＣ２６に出力するための処理を行なう。尚、ステップＳ１２０〜Ｓ１２２の処理については、上述のステップＳ１１３〜Ｓ１１５と略同様であるため、その説明を省略する。ステップＳ１２３では、画像処理部５は、画像処理を行って生成した画像を第２出力用画像として画像記憶部６に供給し、次いで、ステップＳ１２５で、ＰＣ２６に出力するための画像処理終了をシステム制御部２に通知する。画像記憶部６は、画像処理部５から供給された第２出力用画像を記憶する（ステップＳ１２４）。システム制御部２は、画像処理終了が通知されると、出力部１０に画像の出力を要求する（ステップＳ１２６）。ステップＳ１２７では、出力部１０は、画像管理情報管理部７からステップＳ１２８により画像管理情報を取得し、ステップＳ１１７で画像記憶部６に記憶された第２出力用画像をステップＳ１２９により取得し、これを用いてステップＳ９３と同様にして出力処理を行う。出力が終了したら、出力部１０は、システム制御部２に出力終了を通知する（ステップＳ１３０）。そして、出力部１０から出力された画像はネットワーク２０を介してＰＣ２６に送信され、この結果、ＰＣ２６に画像が出力される。
【００５９】
尚、出力先の出力装置の設定は、例えば、上述の図４の表示画面において、プロッタ２４を指定するときは、印刷ボタンＢＴ２又ＢＴ３を押下し、ネットワーク２０に接続されたＰＣ２６を指定するときは、送信ボタンＢＴ５を押下するように構成しても良い。そして、印刷ボタンＢＴ２又ＢＴ３と、送信ボタンＢＴ５との両方が押下された場合、上述のように、プロッタ２４からの出力と、ＰＣ２６への送信とを実現させるようにすれば良い。このような構成によれば、ユーザは、所望の原稿の画像につき１回の入力操作で、複数の出力装置への出力を実現させることができる。
【００６０】
また、上述の動作例６においては、出力部１０が２つの出力装置へ各々出力用画像を出力するように構成した。しかし、画像処理装置１が複数の出力部を備え、各出力部が各出力装置に対応させ、各出力部が各々対応する出力装置に出力用画像を出力するように構成しても良い。
【００６１】
[変形例]
また、上述した各実施の形態に限定されるものではなく、以下に例示するような種々の変形が可能である。
【００６２】
＜変形例１＞
上述した実施の形態における画像処理プログラムは、ＲＯＭに記憶されるように構成したが、インストール可能な形式又は実行可能な形式のファイルでＣＤ−ＲＯＭ、フレキシブルディスク（ＦＤ）、ＣＤ−Ｒ、ＤＶＤ（Digital Versatile Disk）等のコンピュータで読み取り可能な記録媒体に記録されて提供されるように構成しても良い。また、上述した画像処理プログラムを、インターネット等のネットワークに接続されたコンピュータ上に格納し、ネットワーク経由でダウンロードさせることにより提供するように構成しても良い。
【００６３】
＜変形例２＞
上述した実施の形態においては、再利用画像に対して行う補正処理は、画像入力装置に起因するものとし、シェーディング補正やライン間補正などの処理とした。しかし、例えば、画像入力装置に起因しない処理であって出力用画像を生成するために支障のない画像処理や可逆的な画像処理も上述の補正処理の１つとして入力画像に対して行い、これを行った画像を再利用画像として用いるように構成しても良い。
【００６４】
＜変形例３＞
上述したスキャナ２１、操作装置２２、表示装置２３、プロッタ２４及びＦＡＸ２５は、画像処理装置１と別体で構成したが、これらのうち少なくとも１つは画像処理装置１と一体的に構成するようにしても良い。
【００６５】
また、画像の出力装置は、上述のものに限ることなく、また、その数も上述のものに限ることなく、また、ネットワーク２０ではなく専用線を介して画像処理装置１に接続されるものであっても良い。
【００６６】
＜変形例４＞
上述した実施の形態においては、再利用画像及び出力用画像を画像記憶部６に記憶させるようにしたが、これらを各々別の記憶装置や記憶媒体に記憶させるように構成しても良い。
【産業上の利用可能性】
【００６７】
以上のように、本発明は、入力された画像を出力するための画像処理を行う画像処理技術に適している。
【図面の簡単な説明】
【００６８】
【図１】本実施の形態にかかる画像処理装置を用いたシステムの概略的な構成及び画像処理装置の構成を示すブロック図である。
【図２】同実施の形態にかかる画像を入力してサムネイル画像を表示させる処理を行う際に画像処理装置１の各部が行う処理の手順を示す図である。
【図３】同実施の形態にかかる表示装置２３に表示される画面例を示す図である。
【図４】同実施の形態にかかる表示装置２３に表示される画面例を示す図である。
【図５】同実施の形態にかかるサムネイル形式で表示されている画像のページ順を入れ替える際に画像処理装置１の各部が行う処理の手順を示す図である。
【図６】同実施の形態にかかる画像管理情報における画像の順番の入れ替えを説明するための概念図である。
【図７】同実施の形態にかかる画像管理情報における画像の順番の入れ替えを説明するための概念図である。
【図８】同実施の形態にかかるサムネイル形式で表示されている画像の濃度を変更する際に画像処理装置１の各部が行う処理の手順を示す図である。
【図９】同実施の形態にかかるサムネイル形式で表示されている画像を出力する処理の手順を示す図である。
【図１０】同実施の形態にかかるサムネイル形式で表示することなく画像を出力する処理の手順を示す図である。
【図１１】同実施の形態にかかる入力された画像を複数の出力装置に出力するとき処理の手順を示す図である。
【符号の説明】
【００６９】
１  画像処理装置
２  システム制御部
３  操作入力受付部
４  画像入力受付部
５  画像処理部
６  画像記憶部
７  画像管理情報管理部
８  サムネイル画像生成部
９  表示制御部
１０  出力部
２０  ネットワーク
２１  スキャナ
２２  操作装置
２３  表示装置
２４  プロッタ
【図１】
2008066791.tif 000003
【図２】
2008066791.tif 000004
【図３】
2008066791.tif 000005
【図４】
2008066791.tif 000006
【図５】
2008066791.tif 000007
【図６】
2008066791.tif 000008
【図７】
2008066791.tif 000009
【図８】
2008066791.tif 000010
【図９】
2008066791.tif 000011
【図１０】
2008066791.tif 000012
【図１１】
2008066791.tif 000013